(57)【要約】【課題】  位置情報送信中に電源キーが操作されても電源オフとならずに位置情報送信を送信することが可能であり、又、電源キーを電源オンオフ操作をする為にも使用可能とする。【解決手段】  電源キーが操作されると（Ｓ２１０）、位置送信設定がオンであるか否かが判定され、オンであれば、Ｓ２３０ステップへ処理を進める（Ｓ２２０ステップのＹ）。Ｓ２３０ステップでは、擬似電源オフモードとなり、通常の電源オフ状態とならずに、電源オフと電源オン状態を交互に実行する。又、この電源オン状態では位置情報を自動的に送信する。一方、電源キーが操作され（Ｓ２１０）位置送信設定がオフ（Ｓ２２０ステップのＮ）であれば、電源オフ状態となる。【選択図】      図１０
2008016925.tif 000002
【特許請求の範囲】
【請求項１】
発呼動作終了後に自動的に位置情報を受信し、該受信した位置情報を所定の宛先へ送信することを特徴とする通信装置。
【請求項２】
通話動作終了後に自動的に位置情報を受信し、該受信した位置情報を所定の宛先へ送信することを特徴とする通信装置。
【請求項３】
所定の宛先の情報を記憶する記憶手段と、発呼を行う発呼手段と、自機の位置情報を取得する位置情報取得手段と、該位置情報取得手段が取得した位置情報を前記所定の宛先へ送信する送信手段と、
前記発呼手段が発呼し、該発呼が終了すると、前記位置情報取得手段が自機の位置情報を取得し、該取得した位置情報を前記記憶手段に記憶されている所定の宛先へ送信するよう前記送信手段を制御する制御手段と、を有することを特徴とする通信装置。
【請求項４】
所定の宛先の情報を記憶する記憶手段と、通話を行う通話手段と、自機の位置情報を取得する位置情報取得手段と、該位置情報取得手段が取得した位置情報を前記所定の宛先へ送信する送信手段と、
前記通話手段により通話を行い、該通話が終了すると、前記位置情報取得手段が自機の位置情報を取得し、該取得した位置情報を前記記憶手段に記憶されている所定の宛先へ送信するよう前記送信手段を制御する制御手段と、を有することを特徴とする通信装置。
【発明の詳細な説明】
【技術分野】
【０００１】
本発明は、位置情報を送信可能な通信装置に関する。
【背景技術】
【０００２】
近年では子供の誘拐事件が多発しており、このような事件に巻き込まれた場合に子供が容易に助けを求められるようにする為に、携帯電話に防犯ブザーを搭載したものが実際に製品化されている。
【０００３】
又、ユーザが携帯電話の所定のボタンを操作することにより、ブザーが鳴動すると共に現在位置の情報を受信し、所定の宛先へ送信する技術が提案されている（下記特許文献１参照）。
【特許文献１】特開２０００−３２２６７８号公報
【発明の開示】
【発明が解決しようとする課題】
【０００４】
ところで、上記特許文献１記載の携帯電話装置は、ユーザが所定のボタン操作を行うと、ブザーが鳴動すると共に位置情報を送信するものであるが、例えば携帯電話装置のユーザである子供が、見ず知らずの人に襲われるといった緊急事態に陥った場合、バニック状態になりとっさにブザーを鳴動させる操作を行えない、或いはどのボタンをどのように操作すればブザーを鳴動させ位置情報を送信できるか分からない状態に陥る可能性がある。このような状態で、子供が一番取りやすい行動として、例えば両親に電話で連絡することが挙げられる。子供にとって両親が最も身近で頼れる存在であり、通常の子供であれば、このような恐怖状態に陥った場合、まず初めに両親に電話をかけるであろう。
【０００５】
しかしながら、単に両親に電話をかけただけでは、子供にどのようなことが起こったが両親にはわからない、又、子供が両親に現状や現在位置を口頭で説明しようとしても、パニック状態に陥っていては正確に説明できない場合がある。
【課題を解決するための手段】
【０００６】
本発明はこのような課題を解決するためのものであり、請求項１記載の通信装置は、発呼動作終了後に自動的に位置情報を受信し、該受信した位置情報を所定の宛先へ送信することを特徴とする。
請求項２記載の通信装置は、通話動作終了後に自動的に位置情報を受信し、該受信した位置情報を所定の宛先へ送信することを特徴とする。
請求項３記載の通信装置は、所定の宛先の情報を記憶する記憶手段と、発呼を行う発呼手段と、自機の位置情報を取得する位置情報取得手段と、該位置情報取得手段が取得した位置情報を前記所定の宛先へ送信する送信手段と、前記発呼手段が発呼し、該発呼が終了すると、前記位置情報取得手段が自機の位置情報を取得し、該取得した位置情報を前記記憶手段に記憶されている所定の宛先へ送信するよう前記送信手段を制御する制御手段と、を有することを特徴とする。
請求項４記載の通信装置は、所定の宛先の情報を記憶する記憶手段と、通話を行う通話手段と、自機の位置情報を取得する位置情報取得手段と、該位置情報取得手段が取得した位置情報を前記所定の宛先へ送信する送信手段と、前記通話手段により通話を行い、該通話が終了すると、前記位置情報取得手段が自機の位置情報を取得し、該取得した位置情報を前記記憶手段に記憶されている所定の宛先へ送信するよう前記送信手段を制御する制御手段と、を有することを特徴とする。
【発明の効果】
【０００７】
本発明は前記課題を解決するものであり、ユーザが所定の宛先へ発呼（或いは通話）すると、自動的に位置情報を取得し、取得した位置情報を所定の宛先へ送信するものである。この為、単に発呼を行うだけで、位置情報を所定の宛先へ確実に知らせることが可能である。
【０００８】
請求項１及び３記載の通信装置は、発呼終了後に所定の宛先へ位置情報を送信する為、単に発呼を行うだけで、位置情報を所定の宛先へ確実に知らせることが可能である。
【０００９】
請求項２及び４記載の通信装置は、通話終了後に所定の宛先へ位置情報を送信する為、単に通話を行うだけで、位置情報を所定の宛先へ確実に知らせることが可能である。
【発明を実施するための最良の形態】
【００１０】
次に本発明を適用してなる実施例について説明する。図１は本実施例装置である通信装置（例えば、携帯電話装置）の斜視図であり、図２は本実施例装置のブロック図である。
【００１１】
図１において、通信装置１０は、例えば液晶表示装置からなるディスプレイ４２とスピーカ２６を搭載した第１の筐体２と、マイク３０と入力部４４を搭載した第２の筐体３とがヒンジ部４で接続され、前記第１の筐体２を前記第２の筐体３方向に回動させ、折りたたむことが可能である。
【００１２】
図２に示すように、携帯電話装置１０は、アンテナ１６と接続された電話通信部１２を備えている。この電話通信部１２は、後述のベースバンド部１４からの信号をアンテナ１６を介して基地局へ発信し、あるいはアンテナ１６を介して基地局からの電波を受信する。
【００１３】
また、電話通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１４】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１５】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１６】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカとして使用可能であり、又、着信報知の鳴動用としても使用可能であり、更には、約１００ｄＢといった高音量のブザー音を鳴動する為にも使用可能である。このブザー音は例えば防犯ブザーとして使用される。
【００１７】
切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００１８】
また、携帯電話装置１０は、ＧＰＳアンテナ５６と接続されたＧＰＳ通信部５８を備えている。ＧＰＳ通信部では、ＧＰＳアンテナ５６がとらえたＧＰＳ衛星からのＧＰＳデータ（例えば、ＧＰＳ衛星の航行スケジュールであるアルマナックデータや、ＧＰＳ衛星の詳細軌道のデータであるエフェメリスデータ等）を受信し、制御回路３６に出力する。制御回路３６は、受信したＧＰＳデータに基づいて携帯電話装置１０の現在の位置情報（以下、位置情報と称す）が算出される。なお、制御回路３６により算出された携帯電話装置１０の位置情報は、ＲＡＭ４０に記憶されることもあれば、電子メールに添付して送信されることもある。
又、位置情報を取得する為に他の方法も考えられる。例えば、携帯電話装置１０で受信したＧＰＳ衛星からのＧＰＳデータを通信事業者のサーバへ送り、サーバ側で経度や緯度等の位置情報を計算し、計算された位置情報を携帯電話装置１０が受信する構成等が考えられる。
【００１９】
このように、携帯電話装置１０がＧＰＳ衛星からＧＰＳ情報を受信し、受信したＧＰＳ情報に基づいて位置情報を携帯電話装置１０が内部で計算するというような位置情報の取得方法もあれば、サーバで計算された位置情報を受信するというような位置情報の取得方法もある。
位置情報の取得方法はＧＰＳ衛生からのデータに基づいてでも良いし、携帯電話装置１０の周囲に存在する基地局の位置（具体的には、ＩＤ等）に基づいて、携帯電話装置１０のおおよその位置を算出しても良い。
【００２０】
また、電話通信部１２、ベースバンド部１４、切替回路２２及びＧＰＳ通信部５８には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。また、制御回路３６は、制御回路３６の動作に必要な所定の情報が記憶されているＲＡＭ４０と接続されている。また、制御回路３６によりＧＰＳ通信部５８又は電話通信部１２を介して外部の通信機（例えば、携帯電話装置）に対して現在位置情報を添付した電子メールを送信することができるようになっている。また、制御回路３６にはタイマー（図示省略）が内蔵されており、外部の通信機（例えば、携帯電話装置）に対して現在位置情報を添付した電子メールを所定のタイミングで定期的に送信することができるようになっている。
【００２１】
次に、ＲＡＭ（Ｒａｎｄｕｍ  Ａｃｃｅｓｓ  Ｍｅｍｏｒｙ）４０に格納される情報について説明する。図３は、ＲＯＭ４０に格納される情報を示す図である。
【００２２】
図３において、ＲＯＭ４０には、位置情報送信設定フラグ、通信時間設定、メインペア情報、サブペア情報、第１ロックナンバー、第２ロックナンバー、等が格納される。
【００２３】
位置情報送信設定フラグであるが、これは、電源オフの操作がされたら自動的に位置情報送信を行うか否かの設定フラグであり、このフラグがオンである状態では、電源オフ操作がされたら自動的に位置情報送信を行う、一方、このフラグがオフである状態では、電源オフ操作がされても自動的に位置情報送信を行わず、電源オフとなる。
【００２４】
次に、通知時間設定であるが、これは位置情報を送信する間隔の情報を示している。ユーザは例えば、１５分、３０分、６０分のいずれかの間隔を選択可能である。尚、言うまでもなく、この通知時間間隔をユーザが直接数値入力することにより設定可能としても良い。
【００２５】
次にメインペアである。メインペアは、所定の操作（例えば、＃キー押下）が行われた際や、位置情報送信設定フラグオン時に電源オフ操作が行われた際に、位置情報を送信する相手先の情報（例えば、メールアドレス）である。尚、このメールアドレスはユーザのキー操作により入力可能である。
【００２６】
次にサブペアである。サブペアは、位置情報を送信する際に、メインペアと共に送信する相手先の情報（例えば、メールアドレス）である。又、サブペアの情報を格納する領域には、ＧＰＳ自動送信設定とメールアドレスの２つの情報が格納される。まず、ＧＰＳ自動送信設定の領域には、メインペアと共にサブペアへも位置情報を送信するか否かを示す情報（例えばフラグ）が格納されており、このフラグがオンである時には、電源オフ操作後にメインペアと共にサブペアへも位置情報が送信され、一方、オフである時には、メインペアのみに位置情報が送信されサブペアへは送信されない。
【００２７】
尚、このＧＰＳ自動送信設定はユーザのキー操作により設定可能であり、メールアドレスはユーザのキー操作により入力可能である。
【００２８】
第１ロックナンバーは、電源オフ操作時に自動的に位置情報送信を行うか否かの設定（位置情報送信設定）を行う際に入力する暗証番号である。即ち、正確な第１ロックナンバーが入力されなければ、位置情報送信設定は許可されない。
又、この第１ロックナンバーは、第２ロックナンバーを設定する際に入力される暗証番号であり、後ほど詳細に説明するが、正しい第１ロックナンバーが入力されて始めて第２ロックナンバーの変更が許可される。
【００２９】
尚、これら第１ロックナンバーと第２ロックナンバーは工場出荷時のデェフォルト値（初期値）は「１２３４」の４桁の数字となっており、ユーザのキー操作によりこの値は変更可能である。
【００３０】
また、制御回路３６には、入力部４４が接続されている。この入力部４４は、電話番号等の入力を行うテンキー４８と、通話の開始を操作する通話キー５０と、通話の終了を操作する切キー５２と、各種機能の設定を行う機能キー５４と、電源のオンオフを行う為の電源キー６４と、を有している。なお、通常はこの電源キーを押下することにより電源オンオフすることが可能であるが、位置情報送信設定フラグがオンの状態で、電源キーが操作されると、後述する擬似電源オフ状態になる。
【００３１】
また、制御回路３６には、ディスプレイ４２のバックライトである照明部４６が接続されている。
【００３２】
次に本実施例装置である通信装置の動作について説明する。
【００３３】
本実施例装置は、所定の操作（例えば、＃キーを２秒以上連続押下）を行うと、スピーカ３４からブザー音が鳴動し、更に、ＧＰＳ通信部５８を介してＧＰＳ衛星と通信を行うことによりＧＰＳ衛星からデータ（以下ＧＰＳデータと称す）を受信し、受信したＧＰＳデータから位置情報を計算し、計算した位置情報を予め設定した相手先（例えば、図３のメインペアの相手先）にメール添付し送信する。又、ブザー鳴動中（或いは位置情報送信中）には電源キー６４の操作による電源オフを無効としており、正しい暗証番号を入力すると電源がオフする構成となっている。更に、ブザー音鳴動中（或いは位置情報送信中）に犯人により電源キーが操作（例えば２秒以上連続押下）されると、電源オフとはならず、擬似電源オフ状態になり、防犯ブザーの鳴動は停止すると共にディスプレイ４２には何も表示されず、あたかも電源オフとなった状態になるが、位置情報の取得と送信は行うものである。
【００３４】
図４は、犯人により電源キーが操作されてからの通信装置の状態を示す遷移図である。この遷移図に基づいて、電源キーが操作されてから通信装置がどのような状態になるか説明する。
【００３５】
先ず、図４の状態１００は、防犯ブザーが鳴動している状態である。この状態で、電源キーが２秒以上連続押下されると、状態１０１に移る。状態１０１では、ディスプレイ４２に電源オフ時のアニメーション表示がなされる（実際には、通常の電源オフ時のアニメーションとこの状態１０１とのアニメーションとは表示を異ならせている。このような構成としたのは、犯人が電源オフした際に、ユーザがこの表示を見て、本当に電源オフとなったのか、或いは擬似電源オフ状態となったかを知るためである。）。
【００３６】
続いて状態１０２では、ディスプレイ４２に電源オフ時と同じように何も表示されない状態となっている。
【００３７】
状態１０２の状態で、電源キーが２秒以上連続押下されると、電源がオンされ、ディスプレイ４２に電源オン時のアニメーション表示がなされる。
一方、状態１０２の状態で電源キーの操作がされなければ、所定時間経過後に状態１０４に移り、ＧＰＳ通信部５８を介して衛星と通信を行い、ＧＰＳデータを受信する。受信したＧＰＳデータに基づいて位置情報を計算し、計算した位置情報は例えば、経度緯度の情報であり、この情報をＲＡＭ４０に格納されたメインペアへメール送信する。尚、状態１０４の状態では、ＧＰＳ情報を取得する際に、ＧＰＳ情報を取得中である旨の表示を行い、位置情報を送信する際には、位置情報を送信中である旨の表示を行う。
【００３８】
更に、ユーザが擬似電源オフ状態であることをより明確に知る為に、照明部４６（バックライト）から少し照明を行っている。ユーザは、ディスプレイ４２がぼんやりと明るくなっていることを認識することにより、擬似電源オフ状態であること知ることができる。尚、このようにディスプレイ４２がぼんやりと明るくなる構成は、状態１０４だけに限らず、電源キーが操作されてからの状態１０１、１０２でも明るくしても良い。
【００３９】
位置情報の送信が終了すると、状態１０２に戻る。このように、状態１０２の状態で電源キーが操作されない限り、状態１０２と状態１０４を所定時間毎繰り返し行う。
【００４０】
次に擬似電源オフ状態について説明する。図５は、擬似電源オフ状態を詳細に説明するための図である。擬似電源オフ状態は少なくとも２つの状態からなり、電源オフ状態と電源オン状態からなる。この電源オフ状態は、通常の待ち受け状態における電源オフと同じ状態であり、通話やメールの送受信ができない、制御回路が電源キーの操作を監視している状態である。一方、電源オン状態は、ディスプレイ４２に何も表示されない状態で位置情報の測定と位置情報の送信を行う状態である。図４で説明すると、状態１０２が電源オフ状態であり、状態１０４が電源オン状態となる。
【００４１】
この擬似電源オフ状態では、図５に示すように、電源オフ状態と電源オン状態とが繰り返し実行される。
【００４２】
次に本実施例装置を動作させる前の設定操作と、設定操作後の本実施例装置の動作を順に説明する。
【００４３】
図６は、設定操作を行う際のディスプレイ４２の表示画面を示す図である。図６の（ａ）の状態で、入力部４４の入力に基づいて（ｂ）の表示に画面が切り替わる。（ｂ）の表示状態で画面左下の電源オフを選択すると、（ｃ）の表示に切り替わる。この（ｃ）の表示状態で、位置送信設定と、電源ロックナンバーと、完全電源オフの３つの設定が行える。
【００４４】
図６（ｃ）の画面で、ユーザが位置送信設定を選択すると、図７の（ａ）の画面から（ｂ）の画面へ切り替わる。ここで、第１ロックナンバーを入力すると、（ｃ）の画面へ切り替わる。
【００４５】
尚、（ｂ）の画面における第１ロックナンバーと、電源ロックナンバー（第２ロックナンバー）は異なるロックナンバーである（勿論、ユーザの設定次第で、第１ロックナンバーと第２ロックナンバーを同一の番号にすることも可能である）。
【００４６】
図７の（ｃ）の画面で「ＯＮ」を選択すると、（ｄ）の画面に移り、上述した擬似電源オフ状態で位置情報を送信する間隔を設定することが可能である。尚、ここでは、１５分、３０分、６０分の３つの間隔から所望の間隔を設定することが可能である。ここで、例えば３０分の間隔を選択すると、（ｅ）の画面に移り、３０分の時間間隔を設定したことを示すメッセージを表示し、（ｆ）の画面、即ち、（ａ）と同じ画面に移る。このようにして、位置送信設定のオンオフや、位置情報を送信する間隔を設定することが可能である。
【００４７】
次に、電源ロックナンバー（第２ロックナンバー）を設定方法について説明する。図８（ａ）の画面でユーザが「電源ロックＮｏ．」を選択すると、（ｂ）の画面に移り、第１ロックナンバーの入力指示を示す表示がなされる。ここで、正しい第１ロックナンバーが入力されると（ｃ）の画面に移り、第２ロックナンバーの入力指示を示す表示がなされる。ここで、例えば４桁の第２ロックナンバーが入力されると、入力された第２ロックナンバーはＲＡＭ４０に格納され、（ｄ）の画面に移る。（ｄ）の画面では、第２ロックナンバーの設定が終了したことを示すメッセージが表示され、（ｅ）の画面に移る。このようにして、第２ロックナンバーが設定される。勿論、（ｂ）の画面で正しい第１ロックナンバーが入力されなければ第２ロックナンバーの変更はできない。
【００４８】
次に、設定した第２ロックナンバーを用いて電源オフする際の画面について説明する。図９の（ａ）の画面において、「完全電源ＯＦＦ」が選択されると、（ｂ）の画面に移り、第２ロックナンバーを入力するように指示する表示がなされる。ここで、正しいロックナンバーが入力されると、（ｃ）の画面に移り、電源オン状態から電源オフ状態へ移行する際のアニメーションが表示され、表示が消える（画面（ｄ））。
【００４９】
尚、この第２ロックナンバーを入力して電源オフとするのは、位置送信設定がオンの時に電源オフとするものであり、位置送信設定がオフの状態では、電源キーを２秒以上連続押下することにより電源オフすることができる。
【００５０】
次に、本実施例装置の動作を、制御回路３６の制御に基づいて説明する。図１０、図１１は本実施例装置の動作を示すフロー図であり、特に図１１は、擬似電源オフ状態における動作を示すフロー図である。
【００５１】
まず、図１０のＳ１００ステップにおいて、制御回路３６は、各種設定の為の入力があると判定すると、Ｓ１１０ステップへ処理を進め、そうでなければＳ１２０ステップへ処理を進める。
【００５２】
Ｓ１１０ステップでは、制御回路３６は、前記Ｓ１００ステップにおいて入力された設定状態をＲＡＭ４０に格納する。尚、ここでいう各種設定とは、図３に示すような、位置情報設定フラグ、通信時間設定、メインペアのメールアドレス、サブペアのメールアドレス、サブペアのメールアドレス、第１、第２ロックナンバー等である。
【００５３】
Ｓ１２０ステップでは、制御回路３６は、「＃」キーの押下があると判定すると、Ｓ１３０ステップへ処理を進め、そうでなければ、Ｓ１８０ステップへ処理を進める。
【００５４】
Ｓ１３０ステップでは、制御回路３６は、スピーカ３４から例えば１００ｄＢのブザー音を鳴動開始させ、Ｓ１４０ステップへ処理を進める。
【００５５】
Ｓ１４０ステップでは、制御回路３６は、ＧＰＳ通信部５８を制御することによりＧＰＳから各種データ（例えば、ＧＰＳ衛星の航行スケジュールであるアルマナックデータや、ＧＰＳ衛星の詳細軌道のデータであるエフェメリスデータ等）を受信し、経度緯度からなる位置情報を計算する。尚、位置情報を通信事業者が管理するサーバで計算し、サーバで計算された位置情報を受信する構成としても良い。
【００５６】
続くＳ１５０ステップでは、制御回路３６は、ＲＡＭ４０に格納されているメインペアの宛先に、前記Ｓ１４０ステップで受信（或いは計算された）位置情報を自動的に添付して送信する。又、このＳ１５０ステップにおいて、ＲＡＭ４０にはメインペアの他にサブペアにもメールを送信するように設定されていれば、サブペアにも位置情報を添付してメール送信する。尚、メールを送信する際に、メールタイトルは予め設定したタイトル（例えば、「緊急です。助けてください」）を自動的に付加すると共に、メール本文には、予め設定した本文（例えば、「緊急事態発生、助けてください。警察にも連絡してください。」が自動的に付加される。このメールタイトルやメール本文はユーザが自由に作成し設定可能としても良いし、工場出荷時から予め通信装置に格納されているものをユーザが選択して設定可能としても良い。
【００５７】
Ｓ１６０ステップでは、制御回路３６は、入力部４４からブザー鳴動の停止操作がなされたと判定すると、Ｓ１７０ステップへ処理を進める。尚、ここでいうブザー鳴動の停止操作とは、例えば「＃」キーの長押し（２秒以上の連続押下）である。又、停止操作として、暗証番号を入力することにより停止する構成としても良い。又、停止操作を行う際に位置受信又は位置送信も行われていれば、これらの動作も停止される。
【００５８】
Ｓ１７０ステップでは、制御回路３６は、スピーカ３４からのブザー音の鳴動を停止し、Ｓ１００ステップへ処理を戻す。
【００５９】
このように、待ち受け状態で「＃」キーが操作されると、ブザー音が鳴動されると共に、位置情報を自動的に受信（又は計算）し、更に受信した位置情報を所定の宛先に自動的に送信する。又、ブザー音鳴動中に「＃」キーが操作されると、ブザー音の鳴動が停止する。尚、本実施例装置では、「＃」キーの操作でブザー音の鳴動を開始し、ブザー音の鳴動中では電源キーによる電源オフ操作は禁止し、「＃」キーの操作でブザー音の鳴動を停止している。ここで、ブザー音の鳴動開始と停止を「＃」キーの操作としたのは、犯人に容易にブザー音の鳴動停止操作方法を分からせない為である。又、ブザー音鳴動中に電源キー６４の操作を無効としているのは、犯人がブザー音の鳴動停止操作が分からない際に、電源キー６４を操作し、ブザー音の鳴動が停止されることを回避するためである。
【００６０】
前記Ｓ１００からＳ１７０ステップでは、例えば、以下の状況で実施されることが考えられる。例えば犯人が携帯電話装置１０のブザー音の鳴動開始と停止の操作方法を知っており、ブザー音鳴動中に犯人が「＃」キーを操作することにより、ブザー音の鳴動を停止させた場合である。ブザー音鳴動が停止された後は、例えばＳ１８０ステップ以下の処理が、以下の状況で実施されることが考えられる。例えば、携帯電話を今から使用できないようにするために、犯人が電源キー６４を操作する場合である。
【００６１】
Ｓ１８０ステップでは、制御回路３６は、完全電源オフの操作があると判定すると、Ｓ１９０ステップへ処理を進め、そうでなければ、Ｓ２１０ステップへ処理を進める。尚、ここでいう完全電源オフとは、図９で説明した第２ロックナンバーを入力して電源をオフにする操作をいう。
【００６２】
Ｓ１９０ステップでは、制御回路３６は、入力部４４から正しい第２ロックナンバーが入力されたと判定すると、Ｓ２５０ステップへ処理を進め、そうでなければ、Ｓ２００ステップへ処理を進める。
【００６３】
Ｓ２００ステップでは、制御回路３６は、エラー報知（例えば、「ロックナンバーが違います」とディスプレイ４２に表示）させ、Ｓ１００ステップへ処理を戻す。
【００６４】
Ｓ２１０ステップでは、制御回路３６は、電源キー６４の操作があると判定するとＳ２２０ステップへ処理を進め、そうでなければ、Ｓ１００ステップへ処理を戻す。
【００６５】
Ｓ２２０ステップでは、制御回路３６は、ＲＡＭ４０に位置情報送信設定オンのデータが格納されていると判定するとＳ２３０ステップへ処理を進め、そうでなければ、Ｓ２４０ステップへ処理を進める。
【００６６】
Ｓ２３０ステップでは、制御回路３６は、擬似電源オフ動作に入る。この擬似電源オフ動作の詳細な説明は、図１１のＳ３００ステップからＳ４５０ステップで説明する。
【００６７】
Ｓ２４０ステップでは、制御回路３６は、ディスプレイ４２に電源オフアニメーションを表示させ、Ｓ２５０ステップへ処理を進める。
【００６８】
Ｓ２５０ステップでは、制御回路３６は、電源オフ状態にし、Ｓ２６０ステップへ処理を進める。尚、この電源オフ状態では、通話やメールの発着信等の機能が停止している状態であり、キー入力も電源オンの入力のみ受け付けている。
【００６９】
Ｓ２６０ステップでは、制御回路３６は、電源キー６４の操作があると判定すると、Ｓ２７０ステップへ処理を進める。
【００７０】
Ｓ２７０ステップでは、制御回路３６は、ディスプレイ４２に電源オンアニメーションを表示させ、Ｓ１００ステップへ処理を戻す。
【００７１】
このように、本実施例装置では、位置情報送信設定がオフになっていれば、電源キー６４の操作により電源オフとすることが可能である。一方、位置情報送信設定がオンとなっていれば、擬似電源オフ動作を開始する。この場合、後ほど説明するが、擬似電源オフ動作実施後に電源キー６４が押下されると電源オン状態となり、Ｓ１００ステップからの処理を実行する。この為、位置送信設定がオンとなっていれば、Ｓ１８０ステップで完全電源オフ操作を行い、Ｓ１９０ステップで正しい第２ロックナンバーが入力されなければ電源オフとならない。これは、ブザー鳴動中に例えば犯人が電源キー６４を操作することにより、電源オフとならないようにする為である。
【００７２】
次に、擬似電源オフ動作について、図１１を用いて説明する。図１１のＳ３００ステップでは、制御回路３６は、ディスプレイ４２に電源オフアニメーションを表示させる。尚、ここで電源オフアニメーションを表示するのは、犯人に電源キー６４が操作された際に実際には電源がオフとなっていないが、あたかも電源オフとなったと犯人に思わせる為である。また、ここで表示される電源オフアニメーションは、本当に電源オフとなる際の電源オフアニメーションと異ならせても良い。このような表示とすることにより、ユーザに、擬似電源オフ状態となったことを認識させることが可能である。又、このようなアニメーションはユーザが設定可能としても良いし、工場出荷時から予め設定されている構成としても良い。尚、このＳ３００ステップでは、防犯ブザーの鳴動は停止される。
【００７３】
Ｓ３１０ステップでは、制御回路３６は、電源オフ状態を開始する。尚、ここでいう電源オフ状態とは通常の電源オフ状態ではなく、図５に示すように、擬似電源オフ状態中における電源オフ状態である。
【００７４】
Ｓ３２０ステップでは、制御回路３６は、内蔵されているタイマー（図示せず）により所定時間のカウントを開始し、Ｓ３３０ステップへ処理を進める。尚、ここでカウントされる所定時間とは、図７の通知間隔設定で設定した時間である。
【００７５】
Ｓ３３０ステップでは、制御回路３６は、電源キー６４が操作されたと判定するとＳ３４０ステップへ処理を進め、そうでなければ、Ｓ２５０ステップへ処理を進める。
【００７６】
Ｓ３４０ステップでは、制御回路３６は、電源オン状態とし、図１０のＳ１００ステップへ処理を戻す。尚、Ｓ３４０ステップにおいて電源オン状態とする際に、電源オンのアニメーションがディスプレイ４２に表示される。
【００７７】
Ｓ３５０ステップでは、制御回路３６は、前記Ｓ３２０ステップにおいてカウント開始したタイマーが所定の時間をカウントしたと判定するとＳ３６０ステップへ処理を進め、そうでなければ、Ｓ３３０ステップへ処理を戻す。
【００７８】
Ｓ３６０ステップでは、制御回路３６は、電源オン状態にし、Ｓ３７０ステップへ処理を進める。尚、ここでいう電源オン状態とは、通常の電源オン状態ではなく、図５に示す擬似電源オフ状態における電源オン状態である。
【００７９】
続くＳ３７０ステップでは、制御回路３６は、位置確認可能であると判定するとＳ３９０ステップへ処理を進め、そうでなければ、Ｓ３８０ステップへ処理を進める。尚、ここで位置確認可能であるか否かは、例えば衛星からの信号を受信できる状態であるか否かを判定することである。又、サーバで計算した位置情報を受信する構成であれば、基地局からの電波の届く範囲内にいるか否かが判定される。
【００８０】
Ｓ３８０ステップでは、制御回路３６は、位置確認失敗と判定すると共にディスプレイ４２に例えば「位置確認失敗」と表示させ、タイマーをクリアしＳ４５０ステップへ処理を戻す。
【００８１】
Ｓ３９０ステップでは、制御回路３６は、位置確認動作を開始する。具体的には、ＧＰＳ衛星からの信号を受信し位置を計算する、或いは位置情報を事業者のサーバから受信するようにしても良い。
続くＳ４００ステップでは、制御回路３６は、位置確認が成功したと判定するとＳ４１０ステップへ処理を進め、そうでなければ、Ｓ３８０ステップへ処理を進める。具体的には、制御回路３６は、ＧＰＳ情報からの信号を正確に受信できなかったか否かを判定する。尚、サーバで計算した位置情報を受信する構成であれば、基地局を介してサーバから位置情報を正確に受信できなかったか否かを判定する。
【００８２】
Ｓ４１０ステップでは、制御回路３６は、ＧＰＳ衛星との通信により計算した位置情報を電子メールに添付しメインペア（或いはサブペアも含む）へ送信する。
【００８３】
続くＳ４２０ステップでは、制御回路３６は、メールの送信が成功したと判定するとＳ４４０ステップへ処理を進め、そうでなければ、Ｓ４３０ステップへ処理を進める。
【００８４】
Ｓ４３０ステップでは、制御回路３６は、ディスプレイ４２に例えば「位置送信失敗」と表示させ、タイマーをクリアしＳ４５０ステップへ処理を戻す。
【００８５】
Ｓ４４０ステップでは、制御回路３６は、ディスプレイ４２に例えば「位置送信成功」と表示させ、タイマーをクリアしＳ４５０ステップへ処理を進める。
【００８６】
Ｓ４５０ステップでは、制御回路３６は、ディスプレイ４２の表示をクリアし、Ｓ３２０ステップへ処理を戻す。
【００８７】
このように、図１１の擬似電源オフ動作では、所定時間毎にＧＰＳデータに基づいて計算された位置情報をメールに添付し所定の宛先に送っている。このように、待ち受け時に電源キーが操作されると、電源オフのアニメーションを表示し表示が消えるため、犯人は携帯電話の電源がオフになったと思い込む。しかしながら、実際には所定時間毎に位置情報を受信（或いは計算）し、その位置情報を自動的にメールに添付し所定の宛先へ送信している。この為、ユーザが犯人に気づかれずに現在の位置情報を所定の宛先へ送ることができ、位置情報を受信した側は、受信した位置情報に基づいてユーザを追跡することができる。
【００８８】
尚、以下の構成とすることも考えられる。例えば、本実施例装置では、擬似電源オフ状態で位置情報を取得する際と位置情報を送信する際に、ディスプレイ４２に位置情報取得中である旨と位置情報送信中である旨の表示を行っているが、この時にディスプレイ４２には何も表示しない構成としても良い。このような構成とすることにより、たまたま犯人が位置情報送信中の表示をしている際にディスプレイ４２を見て、携帯電話装置が動いていることが認識してしまうといった事態を回避することができる。又、この場合、携帯電話装置が擬似電源オフ状態であるか否かをユーザが知ることができないので、位置情報取得中と位置情報送信中には着信ランプを点滅（或いは点灯）させる構成や、バイブレータを振動させたり、ディスプレイ４２のバックライトを点灯させる構成としても良い。
【００８９】
又、ユーザが所望の時にのみ、位置情報取得中であるか位置情報送信中であるかを知ることができるようにする為に、ユーザが所定のキー操作を行うと、位置情報取得中であるか位置情報送信中であるかを表示させたり、着信ランプを点滅（或いは点灯）させたり、バイブレータを振動させたり、バックライトを点灯させる構成としても良い。
【００９０】
又、本実施例では、「＃」キー押下に応じてブザーを鳴動する構成としているが、１つのキーを押下しただけでブザーを鳴動する構成としては誤って押下される可能性もある為、複数のキーを同時に押下したり、特定のヒモや部材を引っ張ることによりブザーを鳴動する構成としても良い。更に、特定のモードに設定した際にのみ、「＃」キーを押下するとブザーが鳴動し位置情報の送受信を行う構成としても良い。
【００９１】
更に、本実施例では、ブザー鳴動が停止した後に電源キー６４の操作が行われると擬似電源オフ動作を開始するが、ブザー鳴動中に電源キー６４の入力を受付け、電源キー６４の操作が行われると擬似電源オフ動作を開始する構成としても良い。このような構成とすることにより、犯人がブザー鳴動中に携帯電話装置１０が電源オフとなったと思い込み、犯人に知られずに位置情報を所定の相手先に送信することが可能である。又、ブザー鳴動中ではないが、位置情報の取得又は位置情報の送信を行っている際に、同様に電源キー６４の操作が行われると擬似電源オフ動作を開始する構成としても良い。このような構成とした場合でも、犯人がブザー鳴動中に携帯電話装置１０が電源オフとなったと思い込み、犯人に知られずに位置情報を所定の相手先に送信することが可能である。
【００９２】
尚、本実施例装置では、Ｓ２１０ステップにおいて電源キーが押下され、位置送信設定がオンとなると（Ｓ２２０ステップのＹ）、擬似電源オフ状態となる構成であるが、Ｓ２１０ステップにおいて、所定の宛先（例えば、メインペアやサブペアのような予め指定された宛先）へ発呼が行われる或いは、発呼後通話が行われ通話が終了すると、擬似電源オフ状態となるような構成としても良い。このような構成とすることにより次のような効果を奏することができる。例えば携帯電話装置のユーザである子供が緊急事態に陥り、メインペアである母親に助けを求める為に発呼を行ったが、母親と通話できなかった為に緊急事態であることを連絡できなかった場合に、擬似電源オフ状態となり位置情報を自動的に母親へ連絡することができる。又、通話後に擬似電源オフ状態となれば、母親に自動的に位置情報を連絡することができる。子供によっては現在の位置がどこであるかを正確に母親に口頭で伝えることが難しい場合があり、ましては緊急事態では気が動転して正確に母親に伝えられない場合がある。しかしながら、発呼後（或いは通話後）に位置情報を自動的に送信する構成にすれば、母親に確実に現在位置を知らせることができる。
【００９３】
更に、Ｓ１２０ステップで「＃」キーを押下するとブザーが鳴動し位置情報を送信する構成としたが、先ほどのＳ２１０ステップの別の実施構成で説明したように、Ｓ１２０ステップにおいても所定の宛先に発呼を行う（或いは通話が終了する）と、位置情報を送信する構成としても良い。このような構成とすることにより、母親に確実に現在位置を知らせることができる。
【００９４】
又、先ほど述べたＳ１２０ステップの別の実施構成において、発呼後（或いは通話後）に位置情報を送信するがブザーは鳴動しないようにしても良い。
【図面の簡単な説明】
【００９５】
【図１】本発明の一実施形態に係る携帯電話装置の斜視図である。
【図２】本実施例装置のブロック図である。
【図３】ＲＡＭ４０のデータ格納形態図である。
【図４】本実施例装置の状態遷移図である。
【図５】擬似電源オフ状態の説明図である。
【図６】電源オフメニューの表示画面である。
【図７】位置送信設定と通知間隔設定の表示画面である。
【図８】第２ロックナンバーの設定画面である。
【図９】完全電源オフの表示画面である。
【図１０】本実施例装置の動作を示すフロー図である。
【図１１】本実施例装置の動作を示すフロー図である。
【符号の説明】
【００９６】
１０      携帯電話装置
１２      電話通信部
３４      スピーカ
３６      制御回路
４０      ＲＡＭ
４２      ディスプレイ
４６      照明部
５８      ＧＰＳ通信部
【図１】
2008016925.tif 000003
【図２】
2008016925.tif 000004
【図３】
2008016925.tif 000005
【図４】
2008016925.tif 000006
【図５】
2008016925.tif 000007
【図６】
2008016925.tif 000008
【図７】
2008016925.tif 000009
【図８】
2008016925.tif 000010
【図９】
2008016925.tif 000011
【図１０】
2008016925.tif 000012
【図１１】
2008016925.tif 000013